(57)【要約】【課題】複数の光学フィルムの積層順序と欠落、表裏及び左右の反転を表面側又は裏面側から目視にて確実に検査することができる液晶表示装置を提供すること。【解決手段】液晶パネル３と該液晶パネル３を背面から照明するバックライト４との間に下側輝度向上フィルム５と上側輝度向上フィルム６及び拡散フィルム７（光学フィルム）を積層して成る液晶表示装置１において、下側輝度向上フィルム５と上側輝度向上フィルム６及び拡散フィルム７の少なくとも１辺の中心から一端側に１つ以上のタブ５ａ，６ａ，７ａをそれぞれ突設し、全てのタブ５ａ〜７ａを上下に重ねるとともに、平面視又は底面視において全てのタブ５ａ〜７ａが視認されるように各タブ５ａ〜７ａを配置する。【選択図】図３
2015210307.tif 000002
【特許請求の範囲】
【請求項１】
液晶パネルと該液晶パネルを背面から照明するバックライトとの間に複数の光学フィルムを積層して成る液晶表示装置において、
前記各光学フィルムの少なくとも１辺の中心から一端側に１つ以上のタブをそれぞれ突設し、全てのタブを上下に重ねるとともに、平面視又は底面視において全てのタブが視認されるように各タブを配置したことを特徴とする液晶表示装置。
【請求項２】
前記タブの面積を最下位のものから上位に向かって順次小さく又は大きく設定したことを特徴とする請求項１記載の液晶表示装置。
【請求項３】
前記各タブを互いに異なる形状としたことを特徴とする請求項１記載の液晶表示装置。
【請求項４】
前記各タブの形状を矩形、台形、ひし形、三角形、半円形、半楕円の何れかとしたことを特徴とする請求項３記載の液晶表示装置。
【請求項５】
最上部又は最下部のタブを除くタブに開口部を形成し、該開口部に他のタブを露出させたことを特徴とする請求項１記載の液晶表示装置。
【発明の詳細な説明】
【技術分野】
【０００１】
本発明は、液晶パネルと該液晶パネルを背面から照明するバックライトとの間に複数の光学フィルムを積層して成る液晶表示装置に関するものである。
【背景技術】
【０００２】
パソコンや携帯電話等の各種機器には液晶表示装置が使用されているが、この液晶表示装置は、液晶パネルと該液晶パネルを背面から照明するバックライトとの間に複数の光学フィルムを積層して構成されている。
【０００３】
斯かる液晶表示装置に設けられる複数の光学フィルムは形状が同じか近似しているため、当該液晶表示装置の組み立てに際しては、光学フィルムの積層順序や向き、欠落の有無等を確認する必要があるが、その作業は煩雑で困難であるという問題があった。
【０００４】
そこで、特許文献１には、図１０の分解斜視図に示すように、複数の光学フィルム１０５，１０６，１０７，１０８，１０９の各１辺に突起状のタブ１０５ａ，１０６ａ，１０７ａ，１０８ａ，１０９ａを長手方向にずらして形成し、これらの光学フィルム１０５〜１０９が正しい順序で積層された場合には、図１１（ａ）の説明図に示すように、各光学フィルム１０５〜１０９のタブ１０５ａ〜１０９ａが部分的に順次重なるように配列されるため、光学フィルム１０５〜１０９が下から正しい順序で積層されたことを目視にて容易に確認することができる。
【０００５】
そして、光学フィルム１０５〜１０９が正しい順序で積層されなかった場合、例えば図１１（ｂ）に示すように、斜線を付したタブ１０８ａが形成された光学フィルム１０８の積層順に誤りがあった場合には、そのことを目視にて容易に発見することができる。
【先行技術文献】
【特許文献】
【０００６】
【特許文献１】特開２０００−０１１７２８号公報
【発明の概要】
【発明が解決しようとする課題】
【０００７】
しかしながら、特許文献１において提案された図１０に示す液晶表示装置においては、光学フィルム１０５〜１０９の各タブ１０５ａ〜１０９ａは隣接するもの同士が部分的に重ねられているだけで、全てのタブ１０５ａ〜１０９ａが上下方向に重ねられていないため、光学フィルム１０５〜１０９の隣接するもの同士の積層順は確認できても、隣接しないもの同士の積層順が不明であるという問題がある。例えば、図１１（ｂ）に示すように、斜線を付したタブ１０８ａが形成された光学フィルム１０８の積層順を間違えた場合には、この光学フィルム１０８と光学フィルム１０６の何れが先に積層されたかを判別することができない。
【０００８】
本発明は上記問題に鑑みてなされたもので、その目的とする処は、複数の光学フィルムの積層順序と欠落の有無、表裏及び左右の反転を表面側又は裏面側から目視にて確実に検査することができる液晶表示装置を提供することにある。
【課題を解決するための手段】
【０００９】
上記目的を達成するため、請求項１記載の発明は、液晶パネルと該液晶パネルを背面から照明するバックライトとの間に複数の光学フィルムを積層して成る液晶表示装置において、前記各光学フィルムの少なくとも１辺の中心から一端側に１つ以上のタブをそれぞれ突設し、全てのタブを上下に重ねるとともに、平面視又は底面視において全てのタブが視認されるように各タブを配置したことを特徴とする。
【００１０】
請求項２記載の発明は、請求項１記載の発明において、前記タブの面積を最下位のものから上位に向かって順次小さく又は大きく設定したことを特徴とする。
【００１１】
請求項３記載の発明は、請求項１記載の発明において、前記各タブを互いに異なる形状としたことを特徴とする。
【００１２】
請求項４記載の発明は、請求項３記載の発明において、前記各タブの形状を矩形、台形、ひし形、三角形、半円形、半楕円の何れかとしたことを特徴とする。
【００１３】
請求項５記載の発明は、請求項１記載の発明において、最上部又は最下部のタブを除くタブに開口部を形成し、該開口部に他のタブを露出させたことを特徴とする。
【発明の効果】
【００１４】
本発明によれば、複数の各光学フィルムの少なくとも１辺に形成されたタブの全てを上下方向に重ね、これらの全てのタブが平面視又は底面視において視認されるようにしたため、光学フィルムの積層順序と脱落の有無を組立時及び組立後において目視にて正確に検査することができる。
【００１５】
各タブを各光学フィルムの少なくとも１辺の長手方向中心から一端側に突設したため、光学フィルムの表裏及び左右の反転の有無を平面視又は底面視にて容易且つ確実に判定することができる。
【図面の簡単な説明】
【００１６】
【図１】本発明の実施の形態１に係る液晶表示装置の平面図である。
【図２】図１のＡ−Ａ線断面図である。
【図３】（ａ）は本発明の実施の形態１に係る液晶表示装置の光学フィルムが正規の位置に積層される前の状態を示す平面図、（ｂ）は同光学フィルムが正規の位置に積層された状態を示す平面図である。
【図４】図１のＢ−Ｂ線断面図である。
【図５】（ａ）は本発明の実施の形態２に係る液晶表示装置の光学フィルムが正規の位置に積層される前の状態を示す平面図、（ｂ）は同光学フィルムが正規の位置に積層された状態を示す平面図である。
【図６】（ａ）は本発明の実施の形態３に係る液晶表示装置の光学フィルムが正規の位置に積層される前の状態を示す平面図、（ｂ）は同光学フィルムが正規の位置に積層された状態を示す平面図である。
【図７】（ａ）は本発明の実施の形態３の変形例に係る液晶表示装置の光学フィルムが正規の位置に積層される前の状態を示す平面図、（ｂ）は同光学フィルムが正規の位置に積層された状態を示す平面図である。
【図８】（ａ）は本発明の実施の形態４に係る液晶表示装置の光学フィルムが正規の位置に積層される前の状態を示す平面図、（ｂ）は同光学フィルムが正規の位置に積層された状態を示す平面図である。
【図９】本発明の別形態に係る液晶表示装置の要部断面図である。
【図１０】特許文献１において提案された液晶表示装置の分解斜視図である。
【図１１】（ａ）は特許文献１において提案された液晶表示装置において光学フィルムが正しい順序で積層された場合のタグの状態を示す説明図、（ｂ）は光学フィルムの積層順が間違った場合のタグの状態を示す説明図である。
【発明を実施するための形態】
【００１７】
以下に本発明の実施の形態を添付図面に基づいて説明する。
【００１８】
＜実施の形態１＞
図１は本発明の実施の形態１に係る液晶表示装置の平面図、図２は図１のＡ−Ａ線断面図、図３（ａ）は光学フィルムを正規の位置に重ねる前の状態を示す平面図、図３（ｂ）は光学フィルムを正規の位置に重ねた状態を示す平面図、図４は図１のＢ−Ｂ線断面図である。
【００１９】
本実施の形態に係る液晶表示装置１は、樹脂製の矩形ボックス状のケース２内に、矩形平板状の液晶パネル３と、該液晶パネル３を裏面側から照明するバックライト４と、液晶パネル３とバックライト４との間に積層された光学フィルムである下側輝度向上フィルム５と上側輝度向上フィルム６及び拡散フィルム７を収容し、これらを係止爪８，９によって係止することによって構成されている。
【００２０】
上記液晶パネル３は、図２に示すように、裏側偏光板１０、裏側透明基板１１、表側透明基板１２及び表側偏光板１３を積層して構成されており、ケース２の内面に突設された２つの固定ガイド１４にその短辺側の端部が当接することによってケース２内で位置決めされている。そして、裏側透明基板１１の張り出し部には、不図示の駆動装置と制御装置を内蔵したドライバＩＣ１５がモールド樹脂１６によってモールドされて固定されている。又、液晶パネル３からは外部取り出し用のフレキシブル基板１７がケース２外へと延びている。
【００２１】
前記バックライト４は、ガイド１８によって固定されたプリント基板１９上に実装された光源２０と、該光源２０から入射する光を導光して上方へと出射させる導光板２１を備えている。
【００２２】
ところで、図３（ａ）に示すように、前記光学フィルムを構成する下側輝度向上フィルム５と上側輝度向上フィルム６及び拡散フィルム７は、共に同じ外形形状を有しており、横に細長い矩形状に成形されている。そして、一番下側に配される下側輝度向上フィルム５の短辺側の１辺の短手方向（図３の上下方向）中心から一端側（図３の下端側）には矩形突起状のタブ５ａが一体に突設されている。
【００２３】
又、下側輝度向上フィルム５の上に積層される上側輝度向上フィルム６の短辺側の一辺の端部（図３の下端部）と中央部（図３の上下方向中央部）には矩形突起状のタブ６ａ，６ｂがそれぞれ一体に突設されており、一方のタブ６ｂの長さ（辺に沿う長さ）は他方のタブ６ａの長さよりも長く設定されている。
【００２４】
更に、上側輝度向上フィルム６の上に積層される最上位の拡散フィルム７の短辺側の１辺の両端部（図３の下端部と上端部）には矩形突起状のタブ７ａ，７ｂが一体に突設されており、一方のタブ７ｂの長さは他方のタブ７ａの長さよりも長く設定されている。
【００２５】
而して、下側輝度向上フィルム５と上側輝度向上フィルム６及び拡散フィルム７にそれぞれ形成された各タブ５ａ，６ａ，７ａは、これらが形成された辺の長手方向中心よりも一端側（図３の下端側）に配置されているが、最下位の下側輝度向上フィルム５に形成されたタブ５ａの長さ（面積）が最も大きく設定されており、この下側輝度向上フィルム５の上に積層される上側輝度向上フィルム６に形成されたタブ６ａの長さ（面積）はタブ５ａの長さ（面積）よりも小さく設定されている。そして、上側輝度向上フィルム６の上に積層される最上位の拡散フィルム７に形成されたタブ７ａの長さは、タブ６ａの長さ（面積）よりも小さく設定されている。即ち、タブ５ａ，６ａ，７ａの長さ（面積）は、下側から上側に向かってタブ５ａ→タブ６ａ→タブ７ａの順に次第に小さくなるよう設定されている。
【００２６】
従って、下側輝度向上フィルム５と上側輝度向上フィルム６及び拡散フィルム７を図３（ｂ）に示すように正規の位置に積層すると、これらに形成されたタブ５ａ，６ａ，７ａの全てが図４に示すように上下に重ねられ、これらのタブ５ａ，６ａ，７ａは、これらが形成された辺に沿って順次ずれた状態で積層される。従って、当該液晶表示装置１の組立時及び組立後において、タブ５ａ，６ａ，７ａの全てを平面視で視認することができ、全てのタブ５ａ，６ａ，７ａが図３（ｂ）及び図４に示すよう視認されることによって、下側輝度向上フィルム５と上側輝度向上フィルム６及び拡散フィルム７が欠落なく正しい順番で積層されていることが確認される。尚、下側輝度向上フィルム５と上側輝度向上フィルム６及び拡散フィルム７の積層順序を間違えた場合には、タブ５ａ，６ａ，７ａの全てを視認することができないため、下側輝度向上フィルム５と上側輝度向上フィルム６及び拡散フィルム７の積層順を間違えたことを容易且つ確実に発見することができる。
【００２７】
又、本実施の形態では、下側輝度向上フィルム５と上側輝度向上フィルム６及び拡散フィルム７の短辺側の１辺の短手方向中心から一端側（図３の下側）にずらして突設したため、これらの下側輝度向上フィルム５と上側輝度向上フィルム６及び拡散フィルム７の表裏及び左右の反転の有無を平面視にて容易且つ確実に判定することができる。
【００２８】
＜実施の形態２＞
次に、本発明の実施の形態２を図５に基づいて以下に説明する。
【００２９】
図５（ａ）は本発明の実施の形態２に係る液晶表示装置の光学フィルムが正規の位置に積層される前の状態を示す平面図、図５（ｂ）は同光学フィルムが正規の位置に積層された状態を示す平面図であり、本図においては図３において示したものと同一要素には同一符号を付しており、以下、それらについての再度の説明は省略する。
【００３０】
本実施の形態は、下側輝度向上フィルム５と上側輝度向上フィルム６及び拡散フィルム７にそれぞれ形成されたタブ５ａ，６ａ，７ａを上下に重ねるとともに、これらのタブ５ａ，６ａ，７ａの突出長さを変化させることによって、各タブ５ａ，６ａ，７ａの面積をこの順に次第に小さくなるようにしたことを特徴としている。即ち、図５（ａ）２示すように、最下位のタブ５ａの突出長さを最も大きく、その上に重ねられるタブ６ａの突出長さをタブ５ａの突出長さよりも短く、最上位のタブ７ａの突出長さを最も短くすることによって、タブ５ａ，６ａ，７ａの面積がこの順に順次小さくなるようにしている。
【００３１】
従って、図５（ｂ）に示すように、下側輝度向上フィルム５と上側輝度向上フィルム６及び拡散フィルム７を正規の位置に積層すると、これらに形成されたタブ５ａ，６ａ，７ａの全てが上下に重ねられるとともに、これらのタブ５ａ，６ａ，７ａは、これらが形成された辺に対して直交する方向に順次ずれた状態で積層される。このため、当該液晶表示装置１の組立時及び組立後において、タブ５ａ，６ａ，７ａの全てを平面視で視認することができ、全てのタブ５ａ，６ａ，７ａが図５（ｂ）に示すように視認されることによって、下側輝度向上フィルム５と上側輝度向上フィルム６及び拡散フィルム７が欠落なく正しい順序で積層されていることが確認される。この場合も、下側輝度向上フィルム５と上側輝度向上フィルム６及び拡散フィルム７の積層順序を間違えた場合には、タブ５ａ，６ａ，７ａの全てを視認することができないため、積層順を間違えたことを容易且つ確実に発見することができる。その他、本実施の形態においても、前期実施の形態１と同様の効果が得られる。
【００３２】
＜実施の形態３＞
次に、本発明の実施の形態３を図６に基づいて以下に説明する。
【００３３】
図６（ａ）は本発明の実施の形態３に係る液晶表示装置の光学フィルムが正規の位置に積層される前の状態を示す平面図、図６（ｂ）は同光学フィルムが正規の位置に積層された状態を示す平面図であり、本図においても図３において示したものと同一要素には同一符号を付しており、以下、それらについての再度の説明は省略する。
【００３４】
本実施の形態は、下側輝度向上フィルム５と上側輝度向上フィルム６及び拡散フィルム７にそれぞれ形成されたタブ５ａ，６ａ，７ａを上下に重ねるとともに、これらのタブ５ａ，６ａ，７ａの形状を変えることによって、全てのタブ５ａ，６ａ，７ａが平面視で確認されるか否かによって、下側輝度向上フィルム５と上側輝度向上フィルム６及び拡散フィルム７が正しい順序で積層されたか否かを検査することができるようにしたことを特徴としている。
【００３５】
具体的には、図６（ａ）に示すように、下側輝度向上フィルム５に形成されたタブ５ａの形状を直角三角形、上側輝度向上フィルム６に形成されたタブ６ａの形状を正三角形、拡散フィルム７に形成されたタブ７ａの形状をタブ５ａの直角三角形とは逆向きの直角三角形としている。
【００３６】
而して、図６（ｂ）に示すように、下側輝度向上フィルム５と上側輝度向上フィルム６及び拡散フィルム７を正規の位置に正規の順序で積層すると、これらに形成されたタブ５ａ，６ａ，７ａの全てが上下に重ねられるとともに、互いに形状が異なるタブ５ａ，６ａ、７ａは、当該液晶表示装置１の組立時及び組立後において、タブ５ａ，６ａ，７ａの全てを平面視で視認することができ、全てのタブ５ａ，６ａ，７ａが図６（ｂ）に示すように視認されることによって、下側輝度向上フィルム５と上側輝度向上フィルム６及び拡散フィルム７が欠落なく正しい順番で積層されていることが確認される。
【００３７】
ところで、各タブ５ａ，６ａ，７ａの形状は任意であって、例えば、図７（ａ）に示すように、下側輝度向上フィルム５に形成されたタブ５ａの形状を矩形、上側輝度向上フィルム６に形成されたタブ６ａの形状を直角三角形、拡散フィルム７に形成されたタブ７ａの形状をタブ６ａの直角三角形とは逆向きの直角三角形としている。この場合にも、図７（ｂ）に示すように、下側輝度向上フィルム５と上側輝度向上フィルム６及び拡散フィルム７を正規の順序で積層すると、これらに形成されたタブ５ａ，６ａ，７ａの全てが上下に重ねられるとともに、互いに形状が異なるタブ５ａ，６ａ，７ａは、当該液晶表示装置１の組立時及び組立後において、タブ５ａ，６ａ，７ａの全てを平面視で視認することができ、全てのタブ５ａ，６ａ，７ａが図７（ｂ）に示すように視認されることによって、下側輝度向上フィルム５と上側輝度向上フィルム６及び拡散フィルム７が欠落なく正しい順番で積層されていることが確認される。
【００３８】
尚、タブ５ａ，６ａ，７ａの形状は任意であって、矩形、正三角形、直角三角形以外に、台形、ひし形、半円形、半楕円等の形状とすることができる。
【００３９】
＜実施の形態４＞
次に、本発明の実施の形態４を図８に基づいて以下に説明する。
【００４０】
図８（ａ）は本発明の実施の形態４に係る液晶表示装置の光学フィルムが正規の位置に積層される前の状態を示す平面図、（ｂ）は同光学フィルムが正規の位置に積層された状態を示す平面図であり、本図においても図３において示したものと同一要素には同一符号を付しており、以下、それらについて再度の説明は省略する。
【００４１】
本実施の形態は、下側輝度向上フィルム５と上側輝度向上フィルム６及び拡散フィルム７にそれぞれ形成されたタブ５ａ，６ａ，７ａを同じ大きさとして上下に重ねるとともに図８（ａ）に示すように、最下位のタブ５ａを除くタブ６ａ，７ａに楕円状の小さな開口部２２，大きな楕円状の開口部２３をそれぞれ形成したことを特徴としている。
【００４２】
而して、図８（ｂ）に示すように、下側輝度向上フィルム５と上側輝度向上フィルム６及び拡散フィルム７を正規の位置に正規の順序で積層すると、これらに形成されたタブ５ａ，６ａ，７ａの全てが上下に重ねられるとともに、最上位のタブ７ａに形成された開口部２３にその下のタブ６ａに形成された開口部２２が露出し、この開口部２２に最下位のタブ５ａが露出する。従って、図８（ｂ）に示すように全てのタブ５ａ，６ａ，７ａが平面視で視認される場合には、下側輝度フィルム５と上側輝度向上フィルム６及び拡散フィルム７が欠落なく正しい順番で積層されていることが確認され、下側輝度向上フィルム５と上側輝度向上フィルム６及び拡散フィルム７の積層順序を間違えた場合には、タブ５ａ，６ａ，７ａの全てを視認することができないため、積層順を間違えたことを容易且つ確実に発見することができる。
【００４３】
ところで、以上の実施の形態では、下側輝度向上フィルム５と上側輝度向上フィルム６及び拡散フィルム７に形成されたタブ５ａ，６ａ，７ａの状態を平面視で確認することによって、下側輝度向上フィルム５と上側輝度向上フィルム６及び拡散フィルム７が正しい順序で積層されているか否かを検査する構成を採用したが、例えば、図９に示すように、プリント基板１９の一部を切り欠いて開口窓１９ａを形成し、この開口窓１９ａを介して底面視で下側輝度向上フィルム５と上側輝度向上フィルム６及び拡散フィルム７の積層状態を検査するようにしても良い。尚、この場合は、下側輝度向上フィルム５と上側輝度向上フィルム６及び拡散フィルム７の各タブ５ａ，６ａ，７ａの構成は前記実施の形態１〜４の構成とは逆になる。
【産業上の利用可能性】
【００４４】
本発明は、車載用表示装置、産業用表示装置、契機類の表示装置、民生電子機器の表示装置等にとして使用される液晶表示装置に対して好適に適用することができる。
【符号の説明】
【００４５】
１          液晶表示装置
２          ケース
３          液晶パネル
４          バックライト
５          下側輝度向上フィルム（光学フィルム）
５ａ        下側輝度向上フィルムのタブ
６          上側輝度向上フィルム（光学フィルム）
６ａ，６ｂ  上側輝度向上フィルムのタブ
７          拡散フィルム（光学フィルム）
７ａ，７ｂ  拡散フィルムのタブ
８，９      係止爪
１０        裏側偏光板
１１        裏側透明基板
１２        表側透明基板
１３        表側偏光板
１４        固定ガイド
１５        ドライバＩＣ
１６        モールド樹脂
１７        フレキシブル基板
１８        ガイド
１９        プリント基板
２０        光源
２１        導光板
２２，２３  タブの開口部
【図１】
2015210307.tif 000003
【図２】
2015210307.tif 000004
【図３】
2015210307.tif 000005
【図４】
2015210307.tif 000006
【図５】
2015210307.tif 000007
【図６】
2015210307.tif 000008
【図７】
2015210307.tif 000009
【図８】
2015210307.tif 000010
【図９】
2015210307.tif 000011
【図１０】
2015210307.tif 000012
【図１１】
2015210307.tif 000013